(57)【要約】【課題】  内容物の成分の効能低下を防止すると共に、保存性に優れた薬剤又は香料収納用チューブ容器【解決手段】  内層３が非吸着性の合成樹脂であるエチレンービニルアルコール共重合体樹脂、中間層４が変性ポリエチレン樹脂及び外層５がポリオレフィン樹脂で構成されることを特徴とする薬剤又は香料収納用チューブ容器。【選択図】  図２
2005082212.tif 000002
【特許請求の範囲】
【請求項１】
少なくとも２層以上で構成されるチューブ容器において、内層が非吸着性の合成樹脂であるエチレンービニルアルコール共重合体樹脂で構成されることを特徴とする薬剤又は香料収納用チューブ容器。
【請求項２】
内層が非吸着性の合成樹脂であるエチレンービニルアルコール共重合体樹脂、中間層が変性ポリエチレン樹脂及び外層がポリオレフィン樹脂で構成されることを特徴とする薬剤又は香料収納用チューブ容器。
【請求項３】
内層が非吸着性の合成樹脂であるエチレンービニルアルコール共重合体樹脂、外層が変性ポリエチレン樹脂で構成されることを特徴とする薬剤又は香料収納用チューブ容器。
【請求項４】
内層が非吸着性の合成樹脂であるエチレンービニルアルコール共重合体樹脂及びその他の層に、少なくとも一層エチレンービニルアルコール共重合体樹脂を有することを特徴とする薬剤又は香料収納用チューブ容器。
【発明の詳細な説明】
【技術分野】
【０００１】
この発明はチューブ容器に関し、さらに詳しくは、チューブ容器内に収納される内容物の成分の効能低下を防止すると共に、内容物の保存性に優れた薬剤又は香料収納用チューブ容器に関する。
【背景技術】
【０００２】
従来のチューブ容器としては、例えば図７〜図１０に示すものがある。図７において、５０は単層又は多層の合成樹脂製のチューブ容器である。従来のチューブ容器５０において、図８（チューブ容器５０のＸ部拡大断面）に示すように、ポリエチレン樹脂の単層５１で構成されているものがある。又は図１０（チューブ容器６０のＹ部拡大断面）に示すように、内層６３及び外層６３がポリエチレン樹脂、接着層６４が変性ポリエチレン樹脂、中間層６５がエチレンービニルアルコール共重合体樹脂で構成されているものがある（文献１参照）。
【特許文献１】実公昭５３−４６３０３号公報
【発明の開示】
【発明が解決しようとする課題】
【０００３】
しかし、これらのチューブ容器５０、６０内に収納される内容物が、薬剤、香料等である場合、これらの内容物の成分が、チューブ容器５０にあっては単層５１に、又チューブ容器６０にあっては内層６３にそれぞれ吸着、浸透するため、短期間に、薬剤、香料等の内容物の効能が低下するという欠点があった。この発明は、このような従来の課題に着目してなされたもので、チューブ容器内に収納された薬剤、香料等の内容物成分の効能の低下を防止すると共に、これらの内容物の保存性に優れた薬剤又は香料収納用チューブ容器を提供することを目的とする。
【課題を解決するための手段】
【０００４】
請求項１記載の発明の解決手段は、少なくとも２層以上で構成されるチューブ容器において、内層が非吸着性の合成樹脂であるエチレンービニルアルコール共重合体樹脂で構成されることを特徴とする薬剤又は香料収納用チューブ容器であり、請求項２記載の発明の解決手段は、内層が非吸着性の合成樹脂であるエチレンービニルアルコール共重合体樹脂、中間層が変性ポリエチレン樹脂及び外層がポリオレフィン樹脂で構成されることを特徴とする薬剤又は香料収納用チューブ容器である。チューブ容器の最内層に非吸着性樹脂であるエチレンービニルアルコール共重合体樹脂を用いたから、薬剤、香料の内容物の成分が、内層樹脂へ吸着するのを防止する作用を有する。
【０００５】
請求項３記載の発明の解決手段は、内層が非吸着性の合成樹脂であるエチレンービニルアルコール共重合体樹脂、外層が変性ポリエチレン樹脂で構成されることを特徴とする薬
剤又は香料収納用チューブ容器であり、請求項４記載の発明の解決手段は、内層が非吸着性の合成樹脂であるエチレンービニルアルコール共重合体樹脂及びその他の層に、少なくとも一層エチレンービニルアルコール共重合体樹脂を有することを特徴とする薬剤又は香料収納用チューブ容器であり、上記と同様の作用を有する。
【発明の効果】
【０００６】
この発明によれば、チューブ容器の最内層に非吸着性樹脂を用いたから、薬剤、香料の内容物の成分低下を防止できると共に、これらの内容物の保存性に優れるという効果を有する。
【発明を実施するための最良の形態】
【０００７】
チューブ容器内に収納された薬剤、香料等の内容物成分の効能の低下を防止すると共に、これらの内容物の保存性に優れた薬剤又は香料収納用チューブ容器を提供するという目的を、少なくとも内層が、非吸着性の合成樹脂であるエチレンービニルアルコール共重合体樹脂で構成することにより実現した。
【実施例１】
【０００８】
図１及び図２は、この発明に係る実施例１を示す図面である。図１において、１は多層の合成樹脂製の薬剤又は香料収納用チューブ容器である。このチューブ容器１内には、薬剤、香料等の内容物２が収納されている。図１に示す実施例１において、チューブ容器１のＡ部拡大断面を図２に示す。すなわち、内層３が非吸着性の合成樹脂であるエチレンービニルアルコール共重合体樹脂（エチレン樹脂４７ｍｏｌ）、中間層４が変性ポリエチレン樹脂及び外層５が直鎖状低密度ポリエチレン樹脂で構成されている。外層５の直鎖状低密度ポリエチレン樹脂は、その他低密度ポリエチレン樹脂、高密度ポリエチレン樹脂又はポリプロピレン樹脂で構成されてもよい。
【０００９】
この実施例１のチューブ容器１の肉厚は、２５０〜６００μｍであり、好ましくは４００μｍである。各々各層の肉厚は、具体的に、内層３のエチレンービニルアルコール共重合体樹脂は３０〜１００μｍであり、好ましくは８０μｍである。この第１実施例の中間層４は、変性ポリエチレン樹脂であり、この中間層４の肉厚は５〜２０μｍであり、好ましくは１０μｍである。さらに、外層５は直鎖状低密度ポリエチレン樹脂で構成されており、肉厚は２５０〜４００μｍであり、好ましくは３３０μｍに構成される。又、この発明において、内層３のエチレンービニルアルコール共重合体樹脂は、エチレン樹脂の含有量３０〜６０ｍｏｌ％のものが適し、特に４０〜５０ｍｏｌ％のものが好ましい。非吸着性の合成樹脂として、エチレンービニルアルコール共重合体樹脂の他、ポリエチレンテレフタレート樹脂、ポリアミド樹脂、ポリアクリロニトリル樹脂等であってもよい。
【実施例２】
【００１０】
図３及び図４は、実施例２を示すもので、内層１３はエチレン−ビニルアルコール共重合体樹脂（エチレン樹脂４７ｍｏｌ）、外層１５は変性ポリエチレン樹脂である。この実施例２のチューブ容器１１の肉厚は２５０〜６００μｍであり、好ましくは４００μｍである。各層の肉厚は、具体的に、内層１３のエチレン−ビニルアルコール共重合体樹脂３０〜１００μｍであり、好ましくは８０μｍである。又外層１５の変性ポリエチレン樹脂の肉厚は、２７０〜４００μｍであり、好ましくは３４０μｍである。そして、この発明においては、同様に内層１３のエチレン−ビニルアルコール共重合体樹脂は、同様にエチレン樹脂の含有量３０〜６０ｍｏｌ％のものが適し、特に４０〜５０ｍｏｌ％のものが好ましい。
【実施例３】
【００１１】
図５及び図６は、実施例３を示す図面である。実施例３として、内層２３が非吸着性の合成樹脂であるエチレンービニルアルコール共重合体樹脂（エチレン樹脂４７ｍｏｌ）、次ぎに層２６が変性ポリエチレン樹脂、中間層２４には、同様にエチレンービニルアルコール共重合体樹脂（エチレン樹脂３２ｍｏｌ）、さらに層２６が変性ポリエチレン樹脂、外層２５に直鎖状低密度ポリエチレン樹脂から構成されるチューブ容器である。また、外層２５の直鎖状低密度ポリエチレン樹脂に代えて、低密度ポリエチレン樹脂、高密度ポリエチレン樹脂又はポリプロピレン樹脂で構成されてもよい。実施例３は、内層２３のエチレンービニルアルコール共重合体樹脂が非吸着性の作用を呈し、中間層２４のエチレンービニルアルコール共重合体樹脂は、内容物の成分を外部に透過しないバリアー性の作用を呈する。
【実施例４】
【００１２】
次に、本発明に係るチューブ容器を構成する素材と、従来のチューブ容器を構成する素材との試験結果を以下に示す。
「試験条件」
本発明に係るチューブ容器と従来のチューブ容器内に、内容物としてリモネン配合内容物、メントール配合内容物、サリチル酸メチル配合内容物を各々収納して、その吸着性を比較した。
（１）本発明に係るチューブ容器の層構成；内層がエチレンービニルアルコール共重合体樹脂（エチレン樹脂４７ｍｏｌ）、中間層が変性ポリエチレン樹脂、外層が直鎖状低密度ポリエチレン樹脂
（２）従来のチューブ容器の層構成；低密度ポリエチレン樹脂単層及びポリプロピレン樹脂単層
【００１３】
【表１】
2005082212.tif 000003
「試験結果」
表１から明らかなように、本発明に係るチューブ容器である、内層が非吸着性の合成樹脂であるエチレンービニルアルコール共重合体樹脂である場合において、リモネン配合内容物、メントール配合内容物、サリチル酸メチル配合内容物は、いずれも本発明に係るチューブ容器への吸着性が著しく低くかった。
【図面の簡単な説明】
【００１４】
【図１】この発明に係る実施例１を示す一部切欠き断面図。
【図２】この発明に係る実施例１である図１のＡ矢視部拡大断面図。
【図３】この発明に係る実施例２を示す一部切欠き断面図。
【図４】この発明に係る実施例２である図３のＢ矢視部拡大断面図。
【図５】この発明に係る実施例３を示す一部切欠き断面図。
【図６】この発明に係る実施例３である図５のＣ矢視部拡大断面図。
【図７】従来のチューブ容器を示す一部切欠き断面図。
【図８】従来のチューブ容器である図７のＸ矢視部拡大断面図。
【図９】従来のチューブ容器を示す一部切欠き断面図。
【図１０】従来のチューブ容器である図９のＹ矢視部拡大断面図。
【符号の説明】
【００１５】
１  １１  ２１  チューブ容器
３  １３  ２３  内層
４  ２４  中間層
５  １５  ２５  外層
【図１】
2005082212.tif 000004
【図２】
2005082212.tif 000005
【図３】
2005082212.tif 000006
【図４】
2005082212.tif 000007
【図５】
2005082212.tif 000008
【図６】
2005082212.tif 000009
【図７】
2005082212.tif 000010
【図８】
2005082212.tif 000011
【図９】
2005082212.tif 000012
【図１０】
2005082212.tif 000013